(57)【特許請求の範囲】
【請求項１】
上部に各種上置き用キャビネットを載置する下置きキャビネットにおいて、
左右の側板、該左右の側板の上部同士を連結する前部上ビームと後部上ビーム、後面板、および天板とにより、下面および前面に開口部が形成されたキャビネット本体を構成し、この前面開口部の左右方向の中間部における上端面および下面開口部の後端面に、側面視Ｌ字形の中間支柱の上端および後端を着脱可能に取り付け、該中間支柱の下端部に、前記前面開口部の少なくとも一部を開閉する扉の下部ヒンジを取り付ける扉支持部材を取り付け、かつ扉の上部ヒンジを前記前部上ビームの前面に取り付けたことを特徴とする下置きキャビネット。
【請求項２】
キャビネット本体に、両側板の上部同士を連結する前部上ビームと後部上ビーム、および下部同士を連結する後部下ビームを各々設け、中間支柱の上端を前記前部上ビームに、後端を前記後部下ビームに各々着脱可能に取り付けたことを特徴とする請求項１記載の下置きキャビネット。
【発明の詳細な説明】
【技術分野】
【０００１】
本発明は、日用什器、あるいはドラフトチャンバ等の実験用什器等の各種上置き用キャビネットを載置する下置きキャビネットに関する。
【背景技術】
【０００２】
従来、オフィスにおいては日用什器を、また、実験室においてはドラフトチャンバ等の実験用什器を、各々下置きキャビネット上に載置して使用することが多い。この種の下置きキャビネットは、下部の空間部を収納部として利用するため、種々の工夫がなされている。
【０００３】
例えば、底部に物品を載置する底板を設けたもの、前面に開き戸や引戸等を設けたもの、引出し付きのもの、さらには、下部空間の開口部を閉塞せず解放した状態にしておき、この下部空間部を台車等の収容部として利用するようにしたもの等が知られている（例えば、特許文献１、２参照）。
【特許文献１】実用新案登録第２５４５３１０号公報
【特許文献２】実用新案登録第２６０７０６６号公報
【発明の開示】
【発明が解決しようとする課題】
【０００４】
上記のように、下置きキャビネットは、上部に載置される上置き用キャビネット（主キャビネット）の用途等に応じて使いやすい構造のものが使用される。例えば、キャスタ付きの移動キャビネットを収納する場合であれば、底板なしのもの、物品を収納する場合は底板付きのもので、かつ、扉付きのものが便利である。
従来の下置きキャビネットは、構造が固定的であり、例えば、前面解放の下置きキャビネットに扉を付けて収納部として利用するように変更しようとしても、簡単には構造変更できない。したがって、従来は、種々の構造の下置きキャビネットを下部に備えた主キャビネットを予め用意しておき、用途、作業形態等に応じて最適のものを選んで設置し、用途、作業形態等の変更を生じた場合はそれに応じてキャビネット全体を別のものに再設置しなおしている。このように、上側の主キャビネットは同じでも、下置きキャビネットのみが異なった構造の多種の製品を用意する必要があるため、製造コストが高くなるとともに、変更時の再設置に時間がかかるという問題もあった。
【０００５】
本発明は、従来の技術が有する上記のような問題点に鑑み、種々の用途等に応じて使いやすいように構造を簡単に変更できるようにした利便性の高い下置きキャビネットを提供することを目的としている。
【課題を解決するための手段】
【０００６】
本発明によると、上記課題は、次のようにして解決される。
（１）上部に各種上置き用キャビネットを載置する下置きキャビネットにおいて、左右の側板、該左右の側板の上部同士を連結する前部上ビームと後部上ビーム、後面板、および天板とにより、下面および前面に開口部が形成されたキャビネット本体を構成し、この前面開口部の左右方向の中間部における上端面および下面開口部の後端面に、側面視Ｌ字形の中間支柱の上端および後端を着脱可能に取り付け、該中間支柱の下端部に、前記前面開口部の少なくとも一部を開閉する扉の下部ヒンジを取り付ける扉支持部材を取り付け、かつ扉の上部ヒンジを前記前部上ビームの前面に取り付ける。
【０００７】
（２）上記(１)において、キャビネット本体に、両側板の上部同士を連結する前部上ビームと後部上ビーム、および下部同士を連結する後部下ビームを各々設け、中間支柱の上端を前記前部上ビームに、後端を前記後部下ビームに各々着脱可能に取り付ける。
【発明の効果】
【０００８】
本発明によると、次のような効果を奏することができる。
（ａ）請求項１記載の発明によれば、キャビネットにおける前面開口部の左右方向の中間部に扉支持部材を配置して、これに扉の下部ヒンジを取り付けるようにしたので、扉支持部材を利用して、床なしタイプの下置きキャビネットでも簡単に開き扉を取り付けることができ、上置き用キャビネットの用途や作業態様に応じて下置きキャビネットの構造を簡単に変更でき、利便性の高い下置きキャビネットが得られる。
【０００９】
（ｂ）また、Ｌ字形の中間支柱を着脱自在に取り付け、この中間支柱の下端部に扉の下部ヒンジを取り付けるようにしたので、中間支柱を利用して床板なしタイプの下置きキャビネットでも簡単に開き扉を取り付けることができる。
【００１０】
（ｃ）請求項２記載の発明によれば、中間支柱の上端部を前部上ビームに、後端部を後部下ビームに各々着脱自在に結合したので、中間支柱をキャビネット本体のビームを利用して簡単かつ強固に取り付けることができる。
【発明を実施するための最良の形態】
【００１１】
以下、本発明の実施形態を図面とともに説明する。
図１は、本発明の一実施形態に係わる下置きキャビネットの斜視図であって、載置する上置き用キャビネットとともに示している。なお、本実施形態では、上置き用キャビネットがドラフトチャンバである場合の例を示している。図２は、下置きキャビネットとドラフトチャンバの分解斜視図、図３は、図１のIII−III線断面図である。
【００１２】
同図に示すように、下置きキャビネット(Ａ)は、本体フレーム(１)と、本体フレーム(１)上に設けられた天板(２)とにより構成されたキャビネット本体(３)を備えている。
【００１３】
本体フレーム(１)は、前後端縁部に、補強用の前折曲部(４)および後折曲部(５)を有する左右の側板(６)と、前折曲部(４)の内側に当接して両側板(６)(６)の上部同士を連結する左右方向を向く前部上ビーム(７)、および後折曲部(５)の内側に当接して両側板(６)(６)の上部同士を連結する左右方向を向く後部上ビーム(８)と、後折曲部(７)の下部外側に取り付けられた左右方向く後部下ビーム(９)と、後部上ビーム(８)および後部下ビーム(９)に着脱自在に取り付けられた後面板(10)とを備えている。
【００１４】
両側板(６)の内側には、ドラフトチャンバーに水やガス等を供給するための水道管やガス管等の配管および給電用の配線等（図示せず）を内側および前面からカバーする、側部パネル(11a)および前部パネル(11b)を備えた平面Ｌ字形の配管カバーパネル(11)が取り付けられ、両側板(６)の後方外側には、後部の配管（図示せず）を外側からカバーする後部配管カバーパネル(12)が着脱自在に取り付けられている。配管作業時には、後面板(10)およびカバーパネル(11)を外しておくことにより、作業が容易に行なえる。
【００１５】
天板(２)は、上面に液受け用の凹部(13)を備えた長方形のもので、図２に示すように、側板(６)、前部上ビーム(７)、および後部上ビーム(８)上に取り付けられている。この天板(２)上に、ドラフトチャンバ(14)の側板に形成された切欠部(15)が上方より嵌め込まれている。配管カバーパネル(11)は、前後の折曲部(４)(５)の内端縁に取り付けられ、側部パネル(11a)により内側面を、前部パネル(11b)により前面を各々カバーしている。後部配管カバーパネル(12)は側板部(６)の後部に取り付けられて、後部の配管を見えないようにカバーしている。
【００１６】
図２に示すように、中間支柱(16)は、前後方向を向く横杆(17)と、これと直角をなす垂直の縦杆(18)とを備え、縦杆(18)の上端部に断面Ｌ字形の係合片(19)が設けられ、横杆(17)の後端部には取付片(20)が各々設けられている。縦杆(18)の下端部（横杆(17)の前端部）には扉支持部材(21)が取り付けられている。図３に示すように、係合片(19)は、前部上ビーム(７)の下面に固定され、取付片(20)は後部下ビーム(９)に固定されている。４枚の扉(22)のヒンジ側の側端部の上下部には、上扉ヒンジ(23)および下扉ヒンジ(24)が取り付けられている。
【００１７】
図４は、図３の円IVの拡大断面図である。同図に示すように、上扉ヒンジ(23)は、前部上ビーム(７)に取り付けられている固定側ヒンジ片(25)と、扉(22)に取り付けられている可動側ヒンジ片(26)とが軸(27)により連結されたものである。
【００１８】
図５は、図２の円Ｖの拡大図である。同図に示すように、扉支持部材(21)には、前面板(21a)の上部と下部に、後方を向く上部折曲部(21b)および下部折曲部(21c)が各々形成され、上部折曲部(21b)の中央部に切欠部(28)形成されている。縦杆(18)の下端部は切欠部(28)に嵌合され、横杆(17)の前端部は下部折曲部(21c)上に当接されるとともに、縦杆(18)に溶接等で固着されている。
【００１９】
扉支持部材(21)の前面板(21a)には、下扉ヒンジ(24)（図３参照）の固定側ヒンジ片(30)が固着されている。固定側ヒンジ片(30)は、側面視Ｌ字形のもので、止ねじ(31)を介して前面板(21a)に固着され、扉(22)の下枠(22a)に取り付けられた可動側ヒンジ片(32)に、軸(33)を介して連結されている。
【００２０】
図２に示すように、側板(６)の前折曲部(４)の内側下端部にも、扉支持部材(21A)(21B)が取り付けられ、この扉支持部材(21A)(21B) にも固定側ヒンジ片(30)が取り付けられている。
【００２１】
上記のように、中間支柱(16)を取り付けることにより、底板がない構造でも扉(22)を取り付けることができる。この構造においては、扉(22)を使用しないときは、中間支柱(16)および左右の扉支持部材(21A)(21B) を取り外しておけば、図６に示すように、前部が解放され、かつ、底板がない構造として使用することができる。このような状態にすると、ワゴンタイプのキャビネット(29)をそのまま自由に出し入れすることができる。
【００２２】
本発明は、上記の実施形態に限定されるものではなく、幾多の変形が可能である。例えば、前部上ビーム(７)あるいは後部下ビーム(９)等、任意の個所に固定された固定部材に取り付けられた扉支持部材(21)を前面開口部の下端に配置するようにしてもよく、扉支持部材(21)の取り付け個所は中間支柱(16)に限定されない。また、上部に載せるキャビネットは、ドラフトチャンバに限定されず、日用什器等の各種上置き用キャビネットが使用できる。
【図面の簡単な説明】
【００２３】
【図１】本発明の一実施形態の下置きキャビネットを、その上に載置したドラフトチャンバとともに示す斜視図である。
【図２】同じく、下置きキャビネットとドラフトチャンバの分解斜視図である。
【図３】図１のIII−III線断面図である。
【図４】図３の円IＶの拡大断面図である。
【図５】図１の円Ｖの拡大図である。
【図６】下置きキャビネットの利用形態の１例を示す斜視図である。
【符号の説明】
【００２４】
(１)本体フレーム
(２)天板
(３)キャビネット本体
(４)前折曲部
(５)後折曲部
(６)側板
(７)前部上ビーム
(８)後部上ビーム
(９)後部下ビーム
(10)後面板
(11)配管カバーパネル
(11a)側部パネル
(11b)前部パネル
(12)後部配管カバーパネル
(13)凹部
(14)ドラフトチャンバ（上置き用キャビネット）
(15)切欠部
(16)中間支柱
(17)横杆
(18)縦杆
(19)係合片
(20)取付片
(21)扉支持部材
(21a)前面板
(21b)上部折曲部
(21c)下部折曲部
(21A) 扉支持部材
(21B)扉支持部材
(22)扉
(23)上扉ヒンジ
(24)下扉ヒンジ
(25)固定側ヒンジ片
(26)可動側ヒンジ片
(27)軸
(28)切欠部
(29)キャビネット
(30)固定側ヒンジ片
(31)止ねじ
(32)可動側ヒンジ片
(33)軸
(Ａ)下置きキャビネット
【図１】
0004652696.tif 000002
【図２】
0004652696.tif 000003
【図３】
0004652696.tif 000004
【図４】
0004652696.tif 000005
【図５】
0004652696.tif 000006
【図６】
0004652696.tif 000007